(57)【特許請求の範囲】
【請求項１】
回転ヘッドとキャプスタンモータとローディング機構と再生信号の処理回路とを少なくとも含み、映像信号記録媒体から映像信号を再生するビデオ再生部を備え、
装置本体としての動作をマイクロコンピュータを用いて制御し、且つ、ビデオ再生部から出力される信号に基づいて色信号を復元する色信号復元回路に、水晶発振子を発振素子とし、前記色信号の搬送波に対応した基準信号を送出する基準信号生成回路の出力を、クロック信号として前記マイクロコンピュータに与えた映像信号記録媒体再生装置において、
装置本体としての動作の待機状態においてはマイクロコンピュータと基準信号生成回路とに動作電源を供給し、装置本体としての動作状態においてはマイクロコンピュータと基準信号生成回路とビデオ再生部と色信号復元回路とに動作電源を供給する電源制御部を備えたことを特徴とする映像信号記録媒体再生装置。
【発明の詳細な説明】
【０００１】
【発明の属する技術分野】
本発明は、映像信号の処理のために生成される周波数の定まった信号を、クロック信号として、装置本体の制御を行うマイクロコンピュータに与えた映像信号記録媒体再生装置に関する。
【０００２】
【従来の技術】
ビデオカセットレコーダでは、装置本体としての動作の制御、およびキャプスタンモータ等の回転速度の制御にマイクロコンピュータが用いられている。またマイクロコンピュータは、商用電源の供給が停止される停電時においても、時刻を計時する動作を行うように構成されている。
図３は、上記した動作を行うための従来技術を示しており、マイクロコンピュータ９１には２つの発振回路９５，９６が設けられている。そして発振回路９５には３２．７６８ＫＨｚの水晶発振子９２が接続され、発振回路９６には１２ＭＨｚ等の水晶発振子９３が接続されている。
そして動作の待機状態では、発振回路９５のみを動作させると共に、発振回路９５の出力をＣＰＵ９７に導いている。このためマイクロコンピュータ９１は、少ない消費電力でもって計時動作を行う。また待機状態において要求される制御動作を行う。
一方、動作状態となったときには、発振回路９６の出力がＣＰＵ９７に導かれる。このためマイクロコンピュータ９１は、高い周波数のクロックに従って高速動作を行い、キャプスタンモータ等の回転速度の制御、あるいは、その他の動作を制御する。
【０００３】
【発明が解決しようとする課題】
上記したように、マイクロコンピュータ９１には、待機状態におけるクロックを発生するための水晶発振子９２と、動作状態におけるクロックを発生するための水晶発振子９３とが接続されている。すなわち、マイクロコンピュータ９１には２種の水晶発振子９２，９３が必要となっている。しかし水晶発振子９２，９３は高価な素子であることから、２種の水晶発振子９２，９３を使用することは、装置の価格の上昇を招くという問題を生じていた。
【０００４】
本発明は上記課題を解決するため創案されたものであって、その目的は、装置本体の動作時における制御用の水晶発振子を不要としたときにも、動作の待機状態においてもマイクロコンピュータにクロック信号を与えることにより、マイクロコンピュータに待機処理を行わせることのできる映像信号記録媒体再生装置を提供することにある。
【０００５】
【課題を解決するための手段】
上記課題を解決するため本発明に係る映像信号処理装置は、回転ヘッドとキャプスタンモータとローディング機構と再生信号の処理回路とを少なくとも含み、映像信号記録媒体から映像信号を再生するビデオ再生部を備え、装置本体としての動作をマイクロコンピュータを用いて制御し、且つ、ビデオ再生部から出力される信号に基づいて色信号を復元する色信号復元回路に、水晶発振子を発振素子とし、前記色信号の搬送波に対応した基準信号を送出する基準信号生成回路の出力を、クロック信号として前記マイクロコンピュータに与えた映像信号記録媒体再生装置において、装置本体としての動作の待機状態においてはマイクロコンピュータと基準信号生成回路とに動作電源を供給し、装置本体としての動作状態においてはマイクロコンピュータと基準信号生成回路とビデオ再生部と色信号復元回路とに動作電源を供給する電源制御部を備えた構成としている。
【０００６】
本発明の作用を以下に示す。
映像信号記録媒体から再生された信号に基づいて色信号を復元する色信号復元回路に、色信号の搬送波に対応した基準信号を送出する基準信号生成回路は、映像信号記録媒体再生装置においては不可欠のブロックである。このため、基準信号生成回路の出力を、クロック信号としてマイクロコンピュータに与えることは、マイクロコンピュータに与えるクロック信号の生成回路を増加させることなく、マイクロコンピュータに外部からクロック信号を与えることになる。且つ、マイクロコンピュータは、待機状態においても動作することになり、待機状態においても所定動作を実行する。
【０００７】
【発明の実施の形態】
以下に、本発明の一実施の形態について図面を参照しつつ説明する。
図１は、本発明に係る映像信号記録媒体再生装置の一実施形態の電気的構成を示すブロック図である。
本発明に係る映像信号記録媒体再生装置は、ＮＴＳＣ信号、ＰＡＬ信号、あるいはＳＥＣＡＭ信号等の映像信号が記録された記録媒体の再生を行う装置である。本実施形態は、ＮＴＳＣ信号が記録されたビデオカセットの再生を行うビデオカセットプレイヤとなっており、大別すると、マイクロコンピュータ３１、ビデオ再生部３２、色信号復元回路３３、基準信号生成回路３４、および電源制御部３６を備えている。
【０００８】
マイクロコンピュータ３１は、ビデオカセットプレイヤとしての動作を制御するブロックとなっており、制御の主要部となるＣＰＵ３８、ＣＰＵ３８と外部とのインターフエイスとなる周辺回路３７、および外部クロックが入力される入力回路３９を備えている。
ビデオ再生部３２は、回転ヘッド、キャプスタンモータ、ローディング機構、再生信号の処理回路等からなるブロックであり、キャプスタンモータの回転速度、あるいはローディング動作等は、双方向に接続されたマイクロコンピュータ３１により制御される。
【０００９】
色信号復元回路３３は、ビデオ再生部３２において取り出された低域変換色信号４１を、搬送波によって搬送される色信号（搬送色信号）４２に変換するためのブロックであり、基準信号生成回路３４によって生成された基準信号に基づき、低域変換色信号４１を搬送色信号４２に変換する。
基準信号生成回路３４は、３．５８ＭＨｚの水晶発振子３５を発振素子として、搬送色信号４２の基準信号を生成するブロックであり、生成した基準信号を色信号復元回路３３に送出する。また生成した基準信号を、クロック信号として、入力回路３９に送出する。
電源制御部３６は、商用電源が供給され、且つビデオカセットプレイヤとしての動作を行わない待機状態では、マイクロコンピュータ３１と基準信号生成回路３４とに電源を供給し、動作状態となったときには、全てのブロックに電源の供給を行うブロックである。
【００１０】
上記構成からなる実施形態の動作を以下に説明する。
商用電源が供給されている場合、マイクロコンピュータ３１と基準信号生成回路３４とには常に電源が供給される。このため入力回路３９には、基準信号生成回路３４によって生成された基準信号が与えられる。このためマイクロコンピュータ３１は、商用電源が供給されている場合では、基準信号生成回路３４により生成された基準信号をクロックとして常に動作する。
すなわち、マイクロコンピュータ３１は、待機状態では、動作開始の指示の受け付けを行い、全てのブロックに電源を供給させる制御を行う。次いで、再生等の指示に従った制御を行うことにより、ビデオカセット（図示されていない）の再生を行わせる。そして再生された映像信号は、出力４３により外部に送出される。
【００１１】
以上説明したように、図１に示す実施形態は、待機状態においても、マイクロコンピュータ３１と基準信号生成回路３４とには電源が供給される。またマイクロコンピュータ３１は、比較的高い周波数である３．５８ＭＨｚのクロックで動作する。このため待機状態における消費電力は、自励式スイッチング電源の動作領域が安定範囲となる負荷となる。このため、電源制御部３６に与えられる直流源４４を、安価な自励式スイッチング電源でもって供給することが可能となっている。
【００１２】
【発明の効果】
本発明に係る映像信号記録媒体再生装置では、水晶発振子を発振素子とし、前記色信号の搬送波に対応した基準信号を送出する基準信号生成回路の出力を、クロック信号として前記マイクロコンピュータに与えた映像信号記録媒体再生装置において、装置本体としての動作の待機状態においてはマイクロコンピュータと基準信号生成回路とに動作電源を供給し、装置本体としての動作状態においてはマイクロコンピュータと基準信号生成回路とビデオ再生部と色信号復元回路とに動作電源を供給する電源制御部を備えた構成としている。このため、装置として不可欠であるブロックにおいて生成された出力が、クロック信号としてマイクロコンピュータに与えられるので、回路の増加を招くことなく、装置本体の動作時における制御用のクロックを発生する水晶発振子を不要とすることが可能となり、且つ、マイクロコンピュータに待機処理を行わせることが可能となっている。
【図面の簡単な説明】
【図１】本発明に係る映像信号記録媒体再生装置の一実施形態の電気的構成を示すブロック図である。
【図２】従来技術におけるマイクロコンピュータの構成を示すブロック図である。
【符号の説明】
３１  マイクロコンピュータ
３３  色信号復元回路
３４  基準信号生成回路
３６  電源制御部
【図１】
0003613461.tif 000002
【図２】
0003613461.tif 000003